(57)【要約】【課題】ホルダ本体に対する波長板の回転ズレを防止し、また複数の波長板を用いるものでも接着剤やオプティカルコンタクトによることなく、光学軸を所定の交差角でホルダ本体に正確に搭載可能な構造を備えた波長板ユニットを提供する。【解決手段】第１の波長板２と前記第２の波長板３に光学軸方向を示すオリフラ１０ａ，１０ｂを有し、両波長板の間に介在するスペーサ５に第１の波長板２のオリフラ１０ａに側縁から整合密接する第１フラット部を有する前方庇８と、第２の波長板３のオリフラ１０ｂに側縁から整合密接する第２フラット部を有する後方庇９と、外周に突出してホルダ本体１の凹部７に嵌合する凸部６を形成し、第１の波長板２と第２の波長板３の間にエアギャップを形成して当該２枚の波長板を一体化してなり、凸部６をホルダ本体の凹部７に嵌合し、固定部材４をホルダ本体１にねじ込むことで、２枚の波長板の回転方向位置を規制して固定する。【選択図】図２
2017049432.tif 000002
【特許請求の範囲】
【請求項１】
前方である一端にインナーフリンジからなるリング状のストッパーを有すると共に内壁の一部に凹部を有し、後方である他端が解放した円筒状のホルダ本体と、円盤状の波長板と、前記波長板の前記後方に配置したリング状のスペーサと、前記スペーサの前記後方に設けたリング状の固定部材とからなり、
前記ホルダ本体の内部に装着した前記波長板と前記スペーサの前記後方側から前記リング状の固定部材で前記ストッパー方向に押し込んで固定した波長板ユニットであって、
前記波長板は複屈折材料からなる薄板の周縁の一部に当該波長板の光学軸方向を示すオリエンテーション・フラットを有し、
前記スペーサには、前記波長板に有する前記オリエンテーション・フラットに側縁から整合密接するフラット部を有する庇と、外周に突出して前記ホルダ本体の前記凹部に嵌合する凸部を形成してなり、
前記スペーサの前記庇を前記波長板の前記オリエンテーション・フラットに整合密接させて一体化すると共に、前記凸部を前記ホルダ本体の前記凹部に嵌合することで前記スペーサと一体化した前記波長板の回転方向位置を規制することを特徴とする波長板ユニット。
【請求項２】
前方である一端にインナーフリンジからなるリング状のストッパーを有すると共に内壁の一部に凹部を有し、後方である他端が解放した円筒状のホルダ本体と、円盤状の第１の波長板および第２の波長板と、前記１の波長板および前記第２の波長板の間に介在するリング状のスペーサと、リング状の固定部材とからなり、
前記円筒状のホルダ本体の内部に前記第１の波長板を前記前方側に、前記第２の波長板を、前記スペーサを介在させて前記後方側に並設して装着してなり、
前記第２の波長板の前記後方側から前記リング状の固定部材で前記ホルダ本体の内部に前記第１の波長板と前記第２の波長板を前記ストッパー方向に押し込んで固定した波長板ユニットであって、
前記第１の波長板と前記第２の波長板は、それぞれの直径が同じな複屈折材料からなる薄板の周縁の一部に当該波長板の光学軸方向を示すオリエンテーション・フラットをそれぞれ有し、
前記スペーサには、前記第１の波長板に有する前記オリエンテーション・フラットに側縁から整合密接する第1のフラット部を有する前方庇と、前記第１の波長板とは反対側で前記第２の波長板に有する前記オリエンテーション・フラットに側縁から整合密接する第２のフラット部を有する後方庇と、外周に突出して前記ホルダ本体の前記凹部に嵌合する凸部を形成してなり、
前記スペーサの前記前方庇と前記後方庇とは所定の角度で離間して形成されており、
前記スペーサの前記前方庇を前記第１の波長板の前記オリエンテーション・フラットに整合密接させ、前記スペーサの前記後方庇を前記第２の波長板の前記オリエンテーション・フラットに整合密接させることで当該第１の波長板と第２の波長板の間にエアギャップを形成して当該２枚の波長板を一体化してなり、前記凸部を前記ホルダ本体の前記凹部に嵌合することにより前記スペーサで一体化した前記２枚の波長板の回転方向位置を規制することを特徴とする波長板ユニット。
【請求項３】
請求項２において、
前記第１の波長板の光学軸と前記第２の波長板の光学軸のなす角度は９０度で、コンパウンドゼロオーダータイプの波長板を構成することを特徴とする波長板ユニット。
【請求項４】
請求項１乃至３の何れかにおいて、
前記ホルダ本体の内壁に雌ネジを有し、前記固定部材の外周に前記雌ネジに螺合する雄ネジを有し、
前記ホルダ本体に装着された前記第１の波長板と前記スペーサ及び前記第２の波長板を、前記固定部材の前記雄ネジと前記ホルダ本体の前記雌ネジとの螺合による前記ストッパーと前記固定部材との間の押圧で固定することを特徴とする波長板ユニット。
【請求項５】
請求項１乃至４の何れかにおいて、
前記波長板を水晶の薄板で構成することを特徴とする波長板ユニット。
【請求項６】
請求項１乃至５の何れかにおいて、
前記ホルダ本体の外周の一部に、前記波長板の光学軸の軸方向を識別するための軸方向溝を有せしめることを特徴とする波長板ユニット。
【請求項７】
請求項５において、
前記水晶の薄板として、Ｘカット又はＹカットの水晶板を用いることを特徴とする波長板ユニット。
【発明の詳細な説明】
【技術分野】
【０００１】
本発明は、直線偏光の光に所定の位相差を与えるための光学素子である波長板ユニットに係り、特に、コンパウンドゼロオーダー方式に好適な構造を有する波長板ユニットに関する。
【背景技術】
【０００２】
波長板ユニットは位相器あるいは位相リターデーションとも称し、水晶や雲母などの複屈折材料を用いて構成される。光線が複屈折材料を透過すると位相の異なる（振動方向が異なる）２つの光線（通常光線と異常光線）に分離されて波長板ユニットを出射する。両者の出射光には複屈折材料の屈折率による位相ズレ（位相差）が生じる。
【０００３】
この種の波長板ユニットは、トゥルーゼロオーダータイプ、マルチオーダータイプ、コンパウンドゼロオーダータイプの３タイプに大別される。トゥルーゼロオーダータイプの波長板ユニットは一枚の複屈折板で設計波長における０次で所定の位相差を得る板厚としたもので構成される。マルチオーダータイプの波長板ユニットは、トゥルーゼロオーダータイプと同様に一枚の厚い複屈折板を用い、高次で所定の位相差が得られるように板厚を設計したものである。しかし、このタイプの波長板ユニットは板厚が厚くなる分、波長の微小なシフトや温度変化などにより位相差ズレが生じ易い。
【０００４】
本発明が特に対象とするコンパウンドゼロオーダータイプの波長板ユニットは、マルチオーダータイプの波長板に加工した同質材料の２枚の波長板の光学軸を互いに直交配置させることで各波長板に生じる位相差シフトを相殺し、得られる位相差の波長依存性や温度依存性を少なくしたものである。なお、本発明の波長板をホルダ本体に組み付ける構造はコンパウンドゼロオーダータイプの波長板ユニットに限らず、一枚の厚い複屈折板を用いるトゥルーゼロオーダータイプやマルチオーダータイプの波長板ユニットにも適用できるものである。
【０００５】
図９は、従来のコンパウンドゼロオーダータイプの波長板ユニットの構成を説明する分解斜視図である。この波長板ユニット２００は、一端にストッパー１５を有して他端が解放し、解放部開口の内周に雌ネジ１３を形成した円筒状のホルダ本体１の内部に第１の波長板２と第２の波長板３を装着する。そして、外周面に雄ネジ１４を設けたリング状の固定部材４をホルダ本体１の内周に設けた雌ネジ１３にねじ込み、第１の波長板２と第２の波長板３を押圧して固定している。なお、ここでは、波長板２と３は水晶の薄板（水晶板）であるとして説明する。また、符号１２は固定部材４をねじ込むためのドライバーの歯をかける溝（ドライバー歯当溝）を示す。
【０００６】
第１の波長板２と第２の波長板３は円盤形をなし、それらの光学軸方向を示す平坦部（オリエンテーション・フラット：Orientation Flat、略称オリフラ）が外周に形成されている。コンパウンドゼロオーダータイプの波長板ユニットでは、第１の波長板２と第２の波長板３の光学軸が互いに直交するごとく交差させて配置されるため、第１の波長板２のオリフラ方向と第２の波長板３のオリフラ方向は波長板の面内で直角に交差している（直交している）。
【０００７】
本発明に係る波長板ユニットに関連する従来技術を開示したものとしては、特許文献１、特許文献２、特許文献３を挙げることができる。特許文献１には、短い円筒形のホルダに２枚の水晶板の光学軸を直交させて配置した１／２波長板ユニットが記載されている。また、特許文献２は複数の波長板の周縁間にスペーサを介在させて固定した偏光変換ユニットを開示する。そして、特許文献３は、複屈折板に誘電体の多層膜を成膜することで波長板の板厚を所望値に設定した組み合わせ波長板ユニットを開示する。
【先行技術文献】
【特許文献】
【０００８】
【特許文献１】特開２０１０―１２８３２９号公報
【特許文献２】特開２０１１―１７６２８２号公報
【特許文献３】特開２０１０―６０９２２号公報
【発明の概要】
【発明が解決しようとする課題】
【０００９】
ホルダ本体１に複屈折板（位相差板、以下、水晶板とも称する）を搭載してユニットに組み立てる作業では、第１の波長板（水晶板）２と第２の波長板（水晶板）３のそれぞれに形成してあるオリフラを組み立て位置基準として錬度の高い作業員が目視で位置合わせしている。個々の作業員の錬度の程度で、作業員ごとに出来上がり品質が微妙に異なる。２枚の水晶板２と水晶板３は回転ズレ方向に対して垂直方向の力で押圧しているのみであるため、波長板ユニットの使用頻度が多くなるにつれて両水晶板やホルダ本体に対し、回転ズレが発生し易くなる。
【００１０】
２枚の水晶板２と水晶板３の間の回転ズレ防止を対策する手段として接着剤を用いて両水晶板を接着する方法、あるいは接合面を高精度に研磨して貼り合わせる、所謂オプティカルコンタクト方法で両水晶板を一体化する方法が知られている。これらの貼り合わせでも、光学軸に回転ズレが発生しないようにするためには作業者に高度の熟練を必要とする。また、接着やオプティカルコンタクトを採用した場合、そのための製造工程の追加が必要となる。
【００１１】
本発明の目的は、ホルダ本体に対する波長板の回転ズレを防止し、また複数の波長板を用いるものでも接着剤やオプティカルコンタクトによることなく、光学軸を所定の交差角でホルダ本体に正確に搭載可能な構造を備えた波長板ユニットを提供することにある。本発明に係る波長板ユニットは、コンパウンドゼロオーダータイプに限らず、トゥルーゼロオーダータイプ、マルチオーダータイプ、等の各種波長板の組み付けにも適用できる。
【課題を解決するための手段】
【００１２】
上記目的を達成するため、本発明は、予め波長板にリング状のスペーサを組み合わせて一体化し、スペーサに設けた回転抑止手段をホルダ本体に嵌合する構造を採用した。複数（例えば２枚）の波長板を用いたものでは、該複数の波長板の間にリング状のスペーサを介在させて波長板の間にエアギャップを設けて一体化して上記と同様にスペーサに設けた回転抑止手段をホルダ本体に嵌合する構造を採用した。特に、２枚の波長板を用いたものでは、前記スペーサの前方と後方にそれぞれに２枚の波長板の各光学軸方向を規制する手段（庇）を設けると共に、該スペーサの外周に所定の光学軸を以って組み合わせた２枚の波長板をホルダ本体の凹部に嵌合する凸部を形成した。そして、スペーサで一体に組み合わせた２枚の波長板の後方からリング状の固定部材をホルダ本体にねじ込んで固定した。本発明に係る波長板ユニットの代表的な構成を以下に記述する。
【００１３】
（１）前方である一端にインナーフリンジからなるリング状のストッパーを有すると共に内壁の一部に凹部を有し、後方である他端が解放した円筒状のホルダ本体と、円盤状の波長板と、前記波長板の前記後方に配置したリング状のスペーサと、前記スペーサの前記後方に設けたリング状の固定部材とからなり、
前記ホルダ本体の内部に装着した前記波長板と前記スペーサの前記後方側から前記リング状の固定部材で前記ストッパー方向に押し込んで固定した波長板ユニットであって、
前記波長板は複屈折材料からなる薄板の周縁の一部に当該波長板の光学軸方向を示すオリエンテーション・フラットを有し、
前記スペーサには、前記波長板に有する前記オリエンテーション・フラットに側縁から整合密接するフラット部を有する庇と、外周に突出して前記ホルダ本体の前記凹部に嵌合する凸部を形成してなり、
前記スペーサの前記庇を前記波長板の前記オリエンテーション・フラットに整合密接させて一体化すると共に、前記凸部を前記ホルダ本体の前記凹部に嵌合することで前記スペーサと一体化した前記波長板の回転方向位置を規制する。
【００１４】
（２）前方である一端にインナーフリンジからなるリング状のストッパーを有すると共に内壁の一部に凹部を有し、後方である他端が解放した円筒状のホルダ本体と、円盤状の第１の波長板および第２の波長板と、前記１の波長板および前記第２の波長板の間に介在するリング状のスペーサと、リング状の固定部材とからなり、
前記円筒状のホルダ本体の内部に前記第１の波長板を前記前方側に、前記第２の波長板を前記スペーサを介在させて前記後方側に並設して装着してなり、
前記第２の波長板の前記後方側から前記リング状の固定部材で前記ホルダ本体の内部に前記第１の波長板と前記第２の波長板を前記ストッパー方向に押し込んで固定した波長板ユニットであって、
前記第１の波長板と前記第２の波長板は、それぞれの直径が同じな複屈折材料からなる薄板の周縁の一部に当該波長板の光学軸方向を示すオリエンテーション・フラットをそれぞれ有し、
前記スペーサには、前記第１の波長板に有する前記オリエンテーション・フラットに側縁から整合密接する第１フラット部を有する前方庇と、前記第１の波長板とは反対側で前記第２の波長板に有する前記オリエンテーション・フラットに側縁から整合密接する第２フラット部を有する後方庇と、外周に突出して前記ホルダ本体の前記凹部に嵌合する凸部を形成してなり、
前記スペーサの前記前方庇と前記後方庇とは所定の角度で離間して形成されており、
前記スペーサの前記前方庇を前記第１の波長板の前記オリエンテーション・フラットに整合密接させ、前記スペーサの前記後方庇を前記第２の波長板の前記オリエンテーション・フラットに整合密接させることで当該第１の波長板と第２の波長板の間にエアギャップを形成して当該２枚の波長板を一体化してなり、前記凸部を前記ホルダ本体の前記凹部に嵌合することで、前記スペーサで一体化した前記２枚の波長板の回転方向位置を規制する。
【００１５】
（３）前記（２）における前記第１の波長板の光学軸と前記第２の波長板の光学軸のなす角度は９０度として、コンパウンドゼロオーダータイプの波長板ユニットを構成する。
【００１６】
（４）前記（１）乃至（３）の何れかにおいて、前記ホルダ本体の内壁に雌ネジを有し、前記固定部材の外周に前記雌ネジに螺合する雄ネジを有し、
前記ホルダ本体に装着された前記第１の波長板と前記スペーサ及び前記第２の波長板を、前記固定部材の前記雄ネジと前記ホルダ本体の前記雌ネジとの螺合による前記ストッパーと前記固定部材との間の押圧で固定する。
【００１７】
（５）前記（１）乃至（４）の何れかにおいて、前記波長板を水晶の薄板で構成する。
【００１８】
（６）前記（１）乃至（５）の何れかにおいて、前記ホルダ本体の外周の一部に、前記波長板の光学軸の軸方向を識別するための軸方向溝を有せしめる。
【００１９】
（７）前記（５）において、前記水晶の薄板として、Ｘカット又はＹカットの水晶板を用いる。
【００２０】
なお、本発明は、上記の構成に限定されるものではなく、本発明の技術思想を逸脱することなく、種々の変形が可能であることは言うまでもない。例えば、複屈折板に設けるオリエンテーション・フラットを該複屈折板の２ヵ所に平行に形成し、スペーサにも対応する位置に２つの庇を設けた構成とする、等の変形も本発明の技術思想の範囲に含まれる。また、波長板を３枚以上の複数枚としたものにも適用可能である。
【発明の効果】
【００２１】
本発明によれば、波長板の回転ズレを防止し、複数の波長板を接着剤やオプティカルコンタクトを用いることなく、光学軸を所定の交差角でホルダ本体に正確に搭載可能な構造を備えた波長板を提供することができる。なお、本発明に係る波長板ユニットの組み付け構造は、トゥルーゼロオーダータイプ、マルチオーダータイプ、コンパウンドゼロオーダータイプの各種波長板にも適用できるものである。
【００２２】
水晶板などの複屈折板（波長板）を１枚用いる構造のトゥルーゼロオーダータイプやマルチオーダータイプの波長板では、スペーサに設ける庇は当該複屈折板に形成されたオリエンテーション・フラットに応じて、複屈折板の対面側にのみ突出する１又は複数形成することで光学軸方向の回転を防止できる。複屈折板を２枚用いる構造のコンパウンドゼロオーダータイプの波長板では、スペーサに設ける庇は一方の複屈折板と対面する側と他方の複屈折板と対面する側にそれぞれ、当該複屈折板に形成されたオリエンテーション・フラットに応じて１又は複数形成することで光学軸の回転を防止できる。
【００２３】
本発明によれば、組み立て作業員の練度に関係なく、回転ズレのない正確な波長板ユニットを得ることができる。
【図面の簡単な説明】
【００２４】
【図１】本発明に係る波長板ユニットの実施例１を説明する斜視図である。
【図２】本発明に係る波長板ユニットの実施例１の構成を説明する分解斜視図である。
【図３】本発明に係る波長板ユニットの実施例１を構成するホルダ本体の詳細図で、同図（ａ）は後方から見た平面と光学軸の指標溝（インデックス）を設けた上面を示す。また、同図（ｂ）は同図（ａ）のＸ−Ｘ’線に沿った断面を示す。
【図４】本発明に係る波長板ユニットの実施例１を構成するスペーサの説明図である。
【図５】本発明に係る波長板ユニットの実施例１を構成する固定部材に設けた雄ネジの説明図である。
【図６】本発明に係る波長板ユニットの実施例１を構成する固定部材の他の例を説明する図である。
【図７】本発明に係る波長板ユニットの実施例２の構成を説明する分解斜視図である。
【図８】本発明に係る波長板ユニットの実施例３の構成を説明する分解斜視図である。
【図９】従来の波長板ユニットの構成を説明する分解斜視図である。
【発明を実施するための形態】
【００２５】
以下、本発明に係る波長板ユニットの実施形態を、実施例の図面を参照して詳細に説明する。
【実施例１】
【００２６】
図１は、本発明に係る波長板ユニットの実施例１を説明する斜視図である。本実施例の波長板ユニット１００はコンパウンドゼロオーダータイプの波長板ユニットであり、円筒状のホルダ本体１に２枚の波長板２と３、及び波長板２と３の間に介在し、両波長板の間にエアギャップを形成して２枚の波長板を一体化するスペーサ５、スペーサで一体化した２枚の波長板２と３をホルダ本体１の内部に固定する固定部材４で構成される。
【００２７】
ホルダ本体１の外周面の一部には、この波長板ユニット１００の正立方位を示す溝１１が波長板ユニット１００の軸方向に形成されている。この指標溝（インデックス、軸方向溝）１１は、例えば波長板２の光学軸と直交する面内に設ける。図１に示したＤはホルダ本体１の外径、ｄは内径である。この内径ｄにねじ込まれる外径を有する固定部材４を用いてスペーサ５で一体化した２枚の波長板２と３がホルダ本体１の内部に固定される。なお、符号４２は固定部材４をねじ込む際のドライバーの歯を当てる溝（ドライバー歯当溝）を示す。
【００２８】
図２は、図１に示した本発明に係る波長板ユニットの実施例１の構成を説明する分解斜視図である。図３は、ホルダ本体の詳細図で、同図（ａ）は後方から見た平面と光学軸の指標溝（インデックス）を設けた上面を示す。また、同図（ｂ）は同図（ａ）のＸ−Ｘ’線に沿った断面を示す。図４は、スペーサの説明図である。そして、図５は、固定部材に設けた雄ネジの説明図、図６は、固定部材の他の例を説明する図である。
【００２９】
ホルダ本体１は全体として円筒状であり、円筒の前方の一端には開口の内周にリング状に突き出たインナーフリンジ（ストッパー）１５が形成されている。このインナーフリンジ１５に後述する波長板の周縁を押接し、固定部材４の押圧で波長板を固定する。インナーフリンジ１５の内側の一部には後述する凹部７が形成されている。
【００３０】
ホルダ本体１の前記インナーフリンジ１５よりも軸方向で後方の内周には雌ネジ１３が形成されている。このホルダ本体１の中に第１の波長板２と第２の波長板３が両波長板の間に介在するスペーサ５で一体化されて内挿される。スペーサ５で一体化された第１の波長板２と第２の波長板３は後方端からねじ込まれる固定部材４で押し込まれ、インナーフリンジ１５と固定部材４で挟持されて固定される。固定部材４の外周には雄ネジ１４が設けられており、背面（外側）に設けたドライバー歯当溝４２に幅広歯又は二股歯を持つドライバーで固定部材４をホルダ本体１の雌ネジ１３にねじ込む。
【００３１】
すなわち、複屈折板（位相差板、ここでは水晶板）を２枚用いたコンパウンドゼロオーダータイプの波長板ユニットでは、円筒状のホルダ本体１の前方である一端にインナーフリンジ１５からなるリング状のストッパーを有すると共に内壁の一部に凹部７を有し、後方である他端は解放されている。第１の波長板および第２の波長板は共に薄い円盤状であり、周縁の一部で光路に干渉しない端部に光学軸の方向を示すオリエンテーション・フラット１０ａ，１０ｂが形成してある。前記第１の波長板２および前記第２の波長板３の間にリング状のスペーサ５が介在されて第１の波長板２と第２の波長板３を一体化している。そして、スペーサ５で一体化した第１の波長板２および第２の波長板３の後方からリング状の固定部材４がホルダ本体１にねじ込まれる。
【００３２】
上記したように、本実施例では、円筒状のホルダ本体１の前方側に第１の波長板２が、後方側に第２の波長板３がスペーサ５を介在させて並設して装着されている。そして、第２の波長板３の後方側からリング状の固定部材４で前記ホルダ本体の内部に第１の波長板２と第２の波長板３をストッパー１５方向に押し込んで固定する。前記第１の波長板と前記第２の波長板は、それぞれの直径が同じな複屈折材料である水晶板（Ｘカット又はＹカット）からなる薄板の周縁の一部に当該波長板の光学軸方向を示すオリエンテーション・フラットをそれぞれ有している。この波長板はコンパウンドゼロオーダータイプである。
【００３３】
スペーサ５には、第１の波長板に有するオリエンテーション・フラット１０ａに側縁から整合密接する第１のフラット部を有する前方庇８と、第１の波長板とは反対側で第２の波長板に有するオリエンテーション・フラット１０ｂに側縁から整合密接する第２のフラット部を有する後方庇９と、外周に突出してホルダ本体１の凹部７に嵌合する凸部６を形成してなり、スペーサ５の前方庇８と後方庇９とは所定の角度で離間して形成されている。
【００３４】
スペーサ５の前方庇８を第１の波長板２のオリエンテーション・フラット１０ａに整合密接させ、スペーサ５の後方庇を第２の波長板３のオリエンテーション・フラット１０ｂに整合密接させることで当該第１の波長板と第２の波長板の間にスペーサ５の厚み分のエアギャップを形成して当該２枚の波長板を一体化している。そして、スペーサ５の凸部６をホルダ本体１の凹部７に嵌合することで、ホルダ本体１に対するスペーサ５で一体化した前記２枚の波長板２，３の回転方向位置を規制する。第１の波長板２の光学軸と第２の波長板３の光学軸のなす角度は９０度である。
【００３５】
図５に示したように、ホルダ本体１の内壁に有する雌ネジ１３固定部材４の円周全域に形成されているが、図６に示したように雄ネジを形成したねじリング部４１よりも大きな外径のベースリング部４０を設けたものを用いることもできる。このベースリング部４０は完成品の状態ではホルダ本体の外径に等しくすることもできるし、この波長板を適用する応用機器の受け構造に応じて鍔状に突出するような形状とすることもできる。
【００３６】
本実施例により、ホルダ本体に対する波長板の回転ズレが防止され、また複数の波長板を用いるものでも接着剤やオプティカルコンタクトによることなく、光学軸を所定の交差角でホルダ本体に正確に搭載可能な構造を備えた波長板ユニットを提供することができる。
【実施例２】
【００３７】
図７は、本発明に係る波長板ユニットの実施例２の構成を説明する分解斜視図である。本実施例は前記実施例１と同様のコンパウンドゼロオーダータイプ波長板ユニットに本発明を適用したもので、図２と同一機能、同一構成部分には同一の符号を付してある。本実施例が前記した実施例１と異なるのは、第１の波長板２と第２の波長板３を接着剤で接着した点である。
【００３８】
２枚の波長板２と３の接着には、エポキシ樹脂を好適とする透明接着剤を用いる。２枚の接着は治具を用いて予め両波長板の光学軸が精密に９０度で交差するように配置し、両者の間にエポキシ樹脂を注入することで一体化しておく。図７では、前方に第２の波長板３を、後方に第１の波長板２を重ねて接着してある。第１の波長板に形成されたオリエンテーション・フラット１０ａに整合密接する前方庇８を形成したスペーサ５を後方から当て、さらに固定部材４をホルダ本体１にねじ込んで実施例１と同じように固定する。
【００３９】
スペーサ５に設ける前方庇８は第１の波長板２に有するオリエンテーション・フラット１０ａのみに整合密接するのに十分な突出量とすればよい。なお、第１の波長板２と第２の波長板３のユニット軸方向で前後に入れ替え、スペーサ５に設ける庇を前方に突出させて接着した２枚の波長板と一体化することもできる。ホルダ本体１への固定は実施例１と同様である。
【００４０】
本実施例によっても、ホルダ本体に対する波長板の回転ズレが防止され、光学軸を所定の交差角でホルダ本体に正確に搭載可能な構造を備えた波長板ユニットを提供することができる。
【実施例３】
【００４１】
図８は、本発明に係る波長板ユニットの実施例３の構成を説明する分解斜視図である。本実施例は前記実施例１、実施例２と同様のコンパウンドゼロオーダータイプ波長板ユニットに本発明を適用したもので、図２や図７と同一機能、同一構成部分には同一の符号を付してある。本実施例が前記した実施例１や実施例２と異なるのは、第１の波長板２と第２の波長板３を、接着剤を用いることなく、所謂オプティカルコンタクトで接着した点である。オプティカルコンタクトは第１の波長板２と第２の波長板３の対向面を高精度な平坦面とすることで両者を張り合わせた場合に大気圧で張り合わせた状態を強固に保持するもので、実施例２のような接着剤を用いない接合方法である。
【００４２】
図８において、第１の波長板２と第２の波長板３はオプティカルコンタクトで一体化されている。このオプティカルコンタクトによる一体化も実施例２と同様に、治具を用いて予め両波長板の光学軸が精密に９０度で交差するように配置して張り合わせて一体化する。
【００４３】
一体化した第１の波長板２と第２の波長板３の後方にスペーサ５を組み合わせる。スペーサ５には第２の波長板３に設けたオリエンテーション・フラット１０ｂに後方側面から整合密接する庇９が形成されている。この庇９を第２の波長板３に設けたオリエンテーション・フラット１０ｂに整合密接させて一体化し、固定部材４をホルダ本体１にねじ込んで実施例２と同じように固定する。
【００４４】
スペーサ５に設ける庇９は第２の波長板３に有するオリエンテーション・フラット１０ｂのみに整合密接するのに十分な突出量とすればよい。なお、実施例２と同様に、第１の波長板２と第２の波長板３のユニット軸方向で前後に入れ替え、スペーサ５に設ける庇を前方に突出させて接着した２枚の波長板と一体化することもできる。ホルダ本体１への固定は実施例２と同様である。
【００４５】
本実施例によっても、ホルダ本体に対する波長板の回転ズレが防止され、光学軸を所定の交差角でホルダ本体に正確に搭載可能な構造を備えた波長板ユニットを提供することができる。
【産業上の利用可能性】
【００４６】
本発明は、上記した波長板ユニットに限らず、光学軸の性格な設定を必要とする他の光学機器や内蔵構造部品の回転ズレ抑制を要求される類似の電子部品にも同様に適用できる。
【符号の説明】
【００４７】
１・・・ホルダ本体、２・・・第１の波長板、３・・・第２の波長板、４・・・固定部材、４０・・・ベースリング部、４１・・・ネジリング部、４２・・・ドライバー歯当溝、５・・・スペーサ、６・・・凸部、７・・・凹部、８・・・（前方）庇、９・・・（後方）庇、１０（１０ａ，１０ｂ）・・・オリエンテーション・フラット（オリフラ）、１１・・・軸方向溝、１２・・・ねじ溝、１３・・・雌ネジ、１４・・・雄ネジ、１５・・・インナーフランジ（ストッパー）、１００・・・本発明に係る波長板ユニット、２００・・・従来の波長板ユニット。
【図１】
2017049432.tif 000003
【図２】
2017049432.tif 000004
【図３】
2017049432.tif 000005
【図４】
2017049432.tif 000006
【図５】
2017049432.tif 000007
【図６】
2017049432.tif 000008
【図７】
2017049432.tif 000009
【図８】
2017049432.tif 000010
【図９】
2017049432.tif 000011